(57)【要約】【課題】風速に応じた量の塩分を捕獲することができると共に、従来に比して交換頻度を低減できる飛散塩分捕獲装置を提供する。【解決手段】飛散塩分捕獲装置１０は、大気中に飛散している塩分を捕獲可能であるガーゼ２２が筒状に保持されて各段が構成された複数段の塩分捕獲体２０と、一段の塩分捕獲体２０を収納可能である筒状のカバー３０と、カバー３０を、複数段の塩分捕獲体２０のうちの何れか一の段の塩分捕獲体２０を収納する位置と、その他の段の塩分捕獲体２０を収納する位置との間で移動可能に保持するカバー保持部４０とを備える。
2014049716.tif 000002
【特許請求の範囲】
【請求項１】
大気中に飛散している塩分を捕獲可能である素材が筒状に保持されて各段が構成された複数段の塩分捕獲体と、
一段の前記塩分捕獲体を収納可能である筒状のカバーと、
前記カバーを、複数段の前記塩分捕獲体のうちの何れか一の段の前記塩分捕獲体を収納する位置と、その他の段の前記塩分捕獲体を収納する位置との間で移動可能に保持するカバー保持部と
を備える飛散塩分捕獲装置。
【請求項２】
前記カバー保持部は、
下から２段目以上の段の前記塩分捕獲体を収納する位置に配された前記カバーに対して、係合して保持する係合状態と係合解除して非保持とする係合解除状態とをとる係合部材を備える請求項１に記載の飛散塩分捕獲装置。
【請求項３】
前記カバー保持部は、
駆動状態になると前記係合部材を前記係合状態から前記係合解除状態に変化させる駆動部を備え、
該駆動部は、所定期間経過後に駆動されるタイマー機能を備える請求項２に記載の飛散塩分捕獲装置。
【請求項４】
前記カバーの上部及び底部には前記塩分捕獲体が通過可能な開口が形成されており、
上下の段の前記塩分捕獲体の間に配され、前記カバーの底部又は上部の開口を遮蔽する中間遮蔽部を備える請求項１から請求項３までの何れか１項に記載の飛散塩分捕獲装置。
【請求項５】
前記カバー保持部は、
最上段の前記塩分捕獲体の上に配されて前記カバーの上部の前記開口を遮蔽する上側遮蔽部と、
最下段の前記塩分捕獲体の下に配されて前記カバーの底部の前記開口を遮蔽する底側遮蔽部と
を備える請求項４に記載の飛散塩分捕獲装置。
【請求項６】
前記カバー保持部は、
前記カバーの周囲に配されて、前記上側遮蔽部と前記底側遮蔽部とに両端を固定され、前記カバーの移動を案内するガイドバーを備える請求項５に記載の飛散塩分捕獲装置。
【請求項７】
前記複数の塩分捕獲体と、前記カバーと、前記カバー保持部とを収納する百葉箱を備える請求項１から請求項６までの何れか１項に記載の飛散塩分捕獲装置。
【発明の詳細な説明】
【技術分野】
【０００１】
本発明は、飛散塩分量を測定するために大気中に飛散している塩分を捕獲する飛散塩分捕獲装置に関する。
【背景技術】
【０００２】
送電系統の絶縁碍子や鉄塔等の海塩粒子による塩害の予測を行うために、大気中に飛散している塩分（以下、単位体積あたりに含まれる塩分を気中塩分量、これに風速を乗じたものを飛散塩分量という）の量（飛散塩分量）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んで雨に濡れない風通しの良い場所に設置し、ガーゼに付着した塩分の量を測定するというものである。また、特許文献１に記載の気中塩分測定方法は、外気を吸引して水に溶解させ、水溶液の伝導度に基づいて塩分量を測定するというものである。
【先行技術文献】
【特許文献】
【０００３】
【特許文献１】特開２０１１−３８９５６号公報
【発明の概要】
【発明が解決しようとする課題】
【０００４】
特許文献１に記載の気中塩分捕獲装置では、風速に関わらず空気の吸引量が一定であることから、飛散塩分量を求めるためには風速を測定してその測定値に基づいて計算を行う必要がある。また、上記ドライガーゼ法では、屋根のある環境に設置したり、百葉箱内に設置したりしなければならないが、百葉箱内に設置する場合には、交換作業が煩雑になる。【０００５】
本発明は、上記事情に鑑みてなされたものであり、風速に応じた量の塩分を捕獲することができると共に、従来に比して交換頻度を低減できる飛散塩分捕獲装置を提供することを課題とするものである。
【課題を解決するための手段】
【０００６】
本発明に係る飛散塩分捕獲装置は、大気中に飛散している塩分を捕獲可能である素材が筒状に保持されて各段が構成された複数段の塩分捕獲体と、一段の前記塩分捕獲体を収納可能である筒状のカバーと、前記カバーを、複数段の前記塩分捕獲体のうちの何れか一の段の前記塩分捕獲体を収納する位置と、その他の段の前記塩分捕獲体を収納する位置との間で移動可能に保持するカバー保持部とを備える。【０００７】
前記飛散塩分捕獲装置において、前記カバー保持部は、下から２段目以上の段の前記塩分捕獲体を収納する位置に配された前記カバーに対して、係合して保持する係合状態と係合解除して非保持とする係合解除状態とをとる係合部材を備えてもよい。【０００８】
前記飛散塩分捕獲装置において、前記カバー保持部は、駆動状態になると前記係合部材を前記係合状態から前記係合解除状態に変化させる駆動部を備え、該駆動部は、所定期間経過後に駆動されるタイマー機能を備えてもよい。【０００９】
前記飛散塩分捕獲装置において、前記カバーの上部及び底部には前記塩分捕獲体が通過可能な開口が形成されてもよく上下の段の前記塩分捕獲体の間に配され、前記カバーの底部又は上部の開口を遮蔽する中間遮蔽部を備えてもよい。【００１０】
前記飛散塩分捕獲装置において、前記カバー保持部は、最上段の前記塩分捕獲体の上に配されて前記カバーの上部の前記開口を遮蔽する上側遮蔽部と、最下段の前記塩分捕獲体の下に配されて前記カバーの底部の前記開口を遮蔽する底側遮蔽部とを備えてもよい。【００１１】
前記飛散塩分捕獲装置において、前記カバー保持部は、前記カバーの周囲に配されて、前記上側遮蔽部と前記底側遮蔽部とに両端を固定され、前記カバーの移動を案内するガイドバーを備えてもよい。【００１２】
前記飛散塩分捕獲装置は、前記複数の塩分捕獲体と、前記カバーと、前記カバー保持部とを収納する百葉箱を備えてもよい。
【発明の効果】
【００１３】
本発明によれば、風速に応じた量の塩分を捕獲することができると共に、従来に比して交換頻度を低減できる飛散塩分捕獲装置を提供できる。
【図面の簡単な説明】
【００１４】
【図１】一実施形態に係る飛散塩分捕獲装置を示す斜視図である。
【図２】一実施形態に係る飛散塩分捕獲装置を示す斜視図である。
【図３】一実施形態に係る飛散塩分捕獲装置を示す縦断面図である。
【図４】一実施形態に係る飛散塩分捕獲装置を示す縦断面図である。
【図５】ドライガーゼ法と本実施形態に係るガーゼ法との観測結果を比較したグラフである。
【図６】他の実施形態に係る飛散塩分捕獲装置を示す縦断面図である。
【発明を実施するための形態】
【００１５】
以下、図面を参照しながら、本発明を実施するための形態を説明する。図１及び図２は、一実施形態に係る飛散塩分捕獲装置１０を示す斜視図であり、図３及び図４は、飛散塩分捕獲装置１０を示す縦断面図である。これらの図に示すように、飛散塩分捕獲装置１０は、壁面にガラリが設けられた百葉箱１と、上下２段の塩分捕獲体２０と、上下２段の何れか一方を覆うカバー３０と、カバー３０を上段と下段との間で昇降可能に保持するカバーホルダー４０と、上段に位置するカバー３０を固定し又はその固定を解除するロック機構５０とを備えている。上下２段の塩分捕獲体２０、カバー３０、カバーホルダー４０及びロック機構５０は、百葉箱１内に収容されている。
【００１６】
塩分捕獲体２０は、通気性を有し、飛散する塩分を捕獲可能であるガーゼ２２と、ガーゼ２２が巻き付けられた円筒形状のガーゼホルダー２４とを備えている。ガーゼホルダー２４は、網状の円筒体２４Ａと、円筒体２４Ａの上下両端を閉塞する円板状の蓋部２４Ｂ、２４Ｃと、円筒体２４Ａの軸心に挿通された軸部２４Ｄとを備えている。軸部２４Ｄは上下段の蓋部２４Ｂ、２４Ｃと一体化されており、上下段の塩分捕獲体２０は、軸部２４Ｄにより一体化されている。
【００１７】
また、軸部２４Ｄには、上下段の塩分捕獲体２０の間に配された遮蔽板２６が一体化されている。この遮蔽板２６は、蓋部２４Ｂ、２４Ｃより大径の円板であり、その上下両面の周縁近傍には、円状のシール材２８が貼り付けられている。
【００１８】
カバー３０は、塩分捕獲体２０の円筒体２４Ａよりも大径かつ軸方向に長い円筒体３２と、円筒体３２の上下両端に接合された遮蔽板３４、３６とを備えている。遮蔽板３４、３６は、遮蔽板２６よりも小径の円孔３４Ａ、３６Ａが形成された円環状の板である。上側の遮蔽板３４は、遮蔽板２６よりも上側に配され、下側の遮蔽板３６は、遮蔽板２６よりも下側に配されている。
【００１９】
また、遮蔽板３４、３６の周縁部には１２０°間隔で外径方向に突出する凸部３４Ｂ、３６Ｂが形成されている。この凸部３４Ｂ、３６Ｂには、後述のガイドバー４２が挿通される孔が空けられている。
【００２０】
カバーホルダー４０は、１２０°間隔で鉛直かつ互いに平行に配された３本のガイドバー４２と、３本のガイドバー４２の一端又は他端に結合された遮蔽板４４、４６とを備えている。遮蔽板４４、４６はカバー３０の遮蔽板３４、３６と同径の円板であり、３本のガイドバー４２により一体化されている。上側の遮蔽板４４は、上段の塩分捕獲体２０の上側の蓋部２４Ｂと隙間を空けて上下に対向するように配され、下側の遮蔽板４６は、下段の塩分捕獲体２０の下側の蓋部２４Ｃと隙間を空けて上下に対向するように配されている。
【００２１】
上側の遮蔽板４４の下面と下側の遮蔽板４６の上面とには夫々円環状のシール材４８が貼り付けられている。このシール材４８は、カバー３０の遮蔽板３４、３６の円孔３４Ａ、３４Ｂより大径である。
【００２２】
ここで、上述したように３本のガイドバー４２は、カバー３０の上下の遮蔽板３４、３６の周縁部から外径方向に突出する凸部３４Ｂ、３６Ｂに挿通されていることにより、カバー３０は、３本のガイドバー４２に沿って昇降可能にカバーホルダー４０に保持されている。
【００２３】
図１及び図３に示すように、カバー３０が最上位に位置する状態では、上段の塩分捕獲体２０がカバー３０内に収納される。また、当該状態では、カバー３０の下側の遮蔽板３６と遮蔽板２６との間のシール材２８によりカバー３０の底側が遮蔽されると共に、カバー３０の上側の遮蔽板３４とカバーホルダー４０の上側の遮蔽板４４との間のシール材４８によりカバー３０の上側が遮蔽される。
【００２４】
一方、図２及び図４に示すように、カバー３０が最下位に位置する状態では、下段の塩分捕獲体２０がカバー３０内に収納される。また、当該状態では、カバー３０の上側の遮蔽板３４と遮蔽板２６との間のシール材２８によりカバー３０の上側が遮蔽され、カバー３０の下側の遮蔽板３６とカバーホルダー４０の下側の遮蔽板４６との間のシール材４８によりカバー３０の底側が遮蔽される。
【００２５】
ロック機構５０は、カバーホルダー４０の上側の遮蔽板４４にその中心軸周りに回転可能に取り付けられたロックレバー５２と、ロックレバー５２を回転させる駆動部５４とを備えている。ロックレバー５２は、１２０°間隔で配され、遮蔽板４４の中心軸から外径方向へ延びる３本のアーム部５２Ａと、一のアーム部５２Ａの先端から下方へ延びるレバー部５２Ｂとを備えている。このレバー部５２Ｂの先端には、遮蔽板４４の接線方向に突出した爪部５２Ｃが設けられている。
【００２６】
図１に示すように、カバー３０が最上位に位置し、ロックレバー５２が図中時計周り方向に最大量回転された状態では、爪部５２Ｃがカバー３０の遮蔽板３４の一の凸部３４Ｂに対して下側から係合する。これにより、カバー３０がロックレバー５２により上段で保持される。
【００２７】
一方、図２に示すように、ロックレバー５２が図１に示す状態から図中反時計回り方向に回転されると、爪部５２Ｃと上記凸部３４Ｂとの係合が解除される。これにより、カバー３０がロックレバー５２から離されて下段に下降する。
【００２８】
駆動部５４は、鉛直の出力軸を備えるモーター５４Ａと、モーター５４Ａによって鉛直軸周りに回転される十字状の回転体５４Ｂと、回転体５４Ｂの一の軸部５４Ｃの先端に鉛直軸周りに回動可能に取り付けられたアーム部５４Ｄとを備えている。モーター５４Ａは、ロックレバー５２の爪部５２Ｃが係合する凸部３４Ｂの近傍において遮蔽板４４の外周部に固定されている。また、モーター５４Ａとレバー部５２Ｂとの間に、爪部５２Ｃが係合する凸部３４Ｂが配されている。また、モーター５４Ａは、タイマーを内蔵しており、所定期間（例えば、１ヶ月間）経過後に駆動される。また、アーム部５４Ｄの先端は、ロックレバー５２のレバー部５２Ｂの上面に回動可能に取り付けられている。
【００２９】
ここで、図１に示すように、カバー３０が上段に位置し、ロックレバー５２の爪部５２Ｃが遮蔽板３４の凸部３４Ｂに係合している状態では、モーター５４Ａは駆動停止状態である。そして、図２に示すように、所定期間経過後にモーター５４Ａが駆動されると、回転体５４Ｂが図中時計回り方向に回転し、アーム部５４Ｄによりロックレバー５２が図中反時計回り方向に回転される。これにより、ロックレバー５２の爪部５２Ｃと遮蔽板３４の凸部３４Ｂとの係合が解除され、カバー３０がロックレバー５２から離されて下段に下降する。
【００３０】
以上のような構成の飛散塩分捕獲装置１０を、カバー３０で上段の塩分捕獲体２０を覆って外気から遮蔽し、カバー３０をロック機構５０で上段に保持した状態で観測地に設置する。そして、露出した下段の塩分捕獲体２０で所定期間（例えば、１ヶ月間）飛散塩分を捕獲する。ここで、モーター５４Ａのタイマーを当該所定期間に設定しておき、モーター５４Ａを当該所定期間後に駆動させることにより、カバー３０を下段に下降させて下段の塩分捕獲体２０をカバー３０で覆って外気から遮蔽する。これにより、百葉箱１内に１個の塩分捕獲体２０を設置する場合に比して、２倍の期間連続して飛散塩分量を観測することができ、塩分捕獲体２０の交換頻度を半減させることができる。
【００３１】
また、本実施形態に係る飛散塩分捕獲装置１０では、塩分捕獲体２０を側面にガラリが設けられた百葉箱１内に設置したことにより、カバー３０で覆われていない露出した塩分捕獲体２０に、屋根の有無に関係なく雨の影響を受けることがないように、風速に応じた量の塩分を付着させることができる。
【００３２】
図５は、ドライガーゼ法と本実施形態に係るガーゼ法との観測結果を比較したグラフである。このグラフで示す観測結果を得るための実験では、ドライガーゼ法で使用する内径が縦１０ｃｍ横１０ｃｍの２個のガーゼホルダーを百葉箱に収納する。この際、１個のガーゼホルダーを、ガーゼの面が東西を向くように、他の１個のガーゼホルダーを、ガーゼの面が南北を向くように設置する。そして、１ヶ月間に１回ガーゼを回収する。一方、本実施形態に係るガーゼ法では、高さ１０ｃｍ、円周が２０ｃｍの２個のガーゼホルダー２４の夫々に縦１０ｃｍ横２０ｃｍ（ドライガーゼ法で使用するガーゼの２枚分の面積）のガーゼ２２を巻き付ける。そして、２ヶ月間に１回ガーゼ２２を回収する。
【００３３】
以上のようにして飛散塩分量を観測する実験を行ったところ、図５のグラフに示すように、ドライガーゼ法による飛散塩分の捕獲量と本実施形態に係るガーゼ法による飛散塩分の捕獲量との間には、線形の相関関係があることが確認された。
【００３４】
図６は、他の実施形態に係る飛散塩分捕獲装置１００を示す縦断面図である。この図に示すように、本実施形態に係る飛散塩分捕獲装置１００は、百葉箱１内に収納されており、上下３段の塩分捕獲体２０と、上下３段の何れか二個の塩分捕獲体２０を覆う上下２段のカバー３０と、上側のカバー３０を上段と中段との間で昇降可能に保持し、下側のカバー３０を中段と下段との間で昇降可能に保持するカバーホルダー１４０とを備えている。上側のカバー３０の下面には、円孔３６Ａより大径の円環状のシール材１４８が貼り付けられており、このシール材１４８により、上下のカバー３０の間が遮蔽されている。
【００３５】
以上のような構成の飛散塩分捕獲装置１００を、上側のカバー３０で上段の塩分捕獲体２０を覆って外気から遮蔽し、下側のカバー３０で中段の塩分捕獲体２０を覆って外気から遮蔽した状態で観測地に設置する。そして、露出した下段の塩分捕獲体２０で所定期間（例えば、１ヶ月間）飛散塩分を捕獲する。そして、下側のカバー３０を下段に下降させて下段の塩分捕獲体２０をカバー３０で覆って外気から遮蔽する。そして、露出した中段の塩分捕獲体２０で所定期間（例えば、１ヶ月間）飛散塩分を捕獲する。そして、上側のカバー３０を中段に下降させて中段の塩分捕獲体２０をカバー３０で覆って外気から遮蔽する。これにより、百葉箱１内に１個の塩分捕獲体２０を設置する場合に比して、３倍の期間連続して飛散塩分量を観測することができ、塩分捕獲体２０の交換頻度を１／３に減らすことができる。
【００３６】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。
【００３７】
例えば、上記実施形態では、タイマー機能を有するモーター５４Ａを所定期間経過後に自動的に作動させてロック機構５０によるカバー３０のロックを解除することによりカバー３０を上段から下段に移動させたが、ロック機構５０によるカバー３０のロックの解除は、手動で行ってもよい。また、リンク機構を備えるロック機構５０に替えて歯車機構を備えるロック機構を採用してもよい。
【符号の説明】
【００３８】
１  百葉箱、１０  飛散塩分捕獲装置、２０  塩分捕獲体、２２  ガーゼ、２４  ガーゼホルダー、２４Ａ  円筒体、２４Ｂ  蓋部、２４Ｃ  蓋部、２４Ｄ  軸部、２６  遮蔽板、２８  シール材、３０  カバー、３２  円筒体、３４  遮蔽板、３４Ａ  円孔、３４Ｂ  凸部、３６  遮蔽板、３６Ａ  円孔、３６Ｂ  凸部、４０  カバーホルダー、４２  ガイドバー、４４  遮蔽板、４６  遮蔽板、４８  シール材、５０  ロック機構、５２  ロックレバー、５２Ａ  アーム部、５２Ｂ  レバー部、５２Ｃ  爪部、５４  駆動部、５４Ａ  モーター、５４Ｂ  回転体、５４Ｃ  軸部、５４Ｄ  アーム部、１００  飛散塩分捕獲装置、１４０  カバーホルダー、１４８  シール材
【図１】
2014049716.tif 000003
【図２】
2014049716.tif 000004
【図３】
2014049716.tif 000005
【図４】
2014049716.tif 000006
【図５】
2014049716.tif 000007
【図６】
2014049716.tif 000008
【国際調査報告】
2014049716.tif 000009
2014049716.tif 000010
2014049716.tif 000011
2014049716.tif 000012